(57)【要約】      （修正有）【課題】工具ヘッドの取出し及び収納を弱い力で実行でき、安全で工具ヘッドが損傷しにくい工具ヘッド用収納台を提供する。【解決手段】ケース１１と、台座１２と、挿入空間と、穴と、を備え、ケース１１は、上蓋１１１と、前蓋１１２と、後蓋と、二つのサイド蓋１１４と、を備え、上蓋１１１、前蓋１１２、後蓋及び二つのサイド蓋１１４から、収容空間及び開口が構成され、開口は、ケース１１の下方に位置し、収容空間と連通し、台座１２は収容空間に脱着可能に収容されており、挿入空間は、第１穴部１３１と、第２穴部１３２と、を含み、第１穴部１３１は、上蓋１１１を貫通し、収容空間と連通し、第２穴部１３２は、台座１２を貫通し、穴と連通する本体と；穴に移動可能に挿通し、一端が第２穴部１３２に挿入し、他端が穴から外部に突出する押圧具と；を含む。【選択図】図１
0003183787.tif 000002
【実用新案登録請求の範囲】
【請求項１】
ケースと、台座と、挿入空間と、穴と、を備え、前記ケースは、上蓋と、前蓋と、後蓋と、二つのサイド蓋と、を含み、前記上蓋、前記前蓋、前記後蓋及び前記二つのサイド蓋から、収容空間及び開口が構成され、前記開口は、前記ケースの下方に位置し、前記収容空間と連通し、前記台座は、前記収容空間に脱着可能に収容されており、挿入空間は、第１穴部と、第２穴部と、を含み、前記第１穴部は、前記上蓋を貫通し、前記収容空間と連通し、前記第２穴部は、前記台座を貫通し、前記穴と連通する本体と、
前記穴に移動可能に挿通し、一端が前記第２穴部に挿入し、他端が前記穴から外部に突出する押圧具と、
を含むことを特徴とする工具ヘッド用収納台。
【請求項２】
前記挿入空間の内径は前記穴の最小内径よりも大きく、前記押圧具はプッシャ部を含み、前記プッシャ部は、ロッドと、ヘッド部と、を含み、前記ロッドは、前記穴に移動可能に挿通し、前記ヘッド部は、前記ロッドの一端に設けられており、前記挿入空間に挿入し、前記ヘッド部の外径は、前記挿入空間の内径よりも小さく、前記穴の最小内径よりも大きいことを特徴とする、請求項１に記載の工具ヘッド用収納台。
【請求項３】
前記押圧具は押えボタンを含み、前記押えボタンは、前記本体の一端に移動可能に設けられており、前記穴から外部に突出し、前記プッシャ部を押えて前記挿入空間へ移動可能であることを特徴とする、請求項２に記載の工具ヘッド用収納台。
【請求項４】
前記押えボタンに定位穴が設けられており、前記プッシャ部の前記ロッドは前記定位穴に挿入することを特徴とする、請求項３に記載の工具ヘッド用収納台。
【請求項５】
前記押えボタンの前記プッシャ部から遠ざかった一端に円弧溝が形成されていることを特徴とする、請求項３に記載の工具ヘッド用収納台。
【請求項６】
前記押圧具は弾性具を含み、前記弾性具は、前記押えボタンと前記本体の底部の間に設けられており、前記弾性具により、平常時に、前記押えボタンが付勢されて前記本体の底部から離れることを特徴とする、請求項３に記載の工具ヘッド用収納台。
【請求項７】
前記穴は前記挿入空間から離れるほど縮径し、これにより、前記穴の壁が円錐状を呈し、前記プッシャ部の前記ヘッド部の輪郭は前記穴の輪郭に対応することを特徴とする、請求項２に記載の工具ヘッド用収納台。
【請求項８】
前記ケースは上蓋を含み、前記上蓋は透明であることを特徴とする、請求項１に記載の工具ヘッド用収納台。
【請求項９】
前記本体に標識部が複数設けられており、これらの前記標識部は、前記挿入空間のうちの一つにそれぞれ対応することを特徴とする、請求項１に記載の工具ヘッド用収納台。
【請求項１０】
前記工具ヘッド用収納台は更に、定位具を含み、前記定位具は、複数の第１円弧段と、複数の第２円弧段と、複数の連接段と、を含み、各前記連接段は、前記第１円弧段のうちの一つと前記第２円弧段のうちの一つを連接し、前記本体は複数の挿入空間を含み、前記台座の上端に寄掛り部が複数設けられており、これらの前記寄掛り部は前記第２穴部のうちの一つにそれぞれ対応し、前記定位具は前記台座の上部に設けられており、これらの前記第１円弧段とこれらの前記第２円弧段は、前記寄掛り部のうちの一つにそれぞれ寄掛り、付勢されて前記第２穴部のうちの一つからそれぞれ突出することを特徴とする、請求項１乃至９の何れか１項に記載の工具ヘッド用収納台。
【考案の詳細な説明】
【技術分野】
【０００１】
本考案は、工具ヘッドの取出し及び収納を便利にする工具ヘッド用収納台に関するものである。
【背景技術】
【０００２】
従来の工具ヘッド収納台は複数の挿入空間を含む。各前記挿入空間は、一つの工具ヘッドを収納可能である。このように、このような工具ヘッド収納台は、複数の工具ヘッドを収納可能であり、携帯性も極めて良い。
【０００３】
しかしながら、これらの前記挿入空間から、これらの前記工具ヘッドを引出したいときには、前記工具ヘッドと前記挿入空間が締り嵌め状態にあるため、力を加えないと前記工具ヘッドを引出すことができず、そしてユーザの手部が怪我を受けやすい。
【０００４】
また、収納時に、前記工具ヘッドの一部が前記挿入空間から外部に突出しないと、前記挿入空間から前記工具ヘッドを取出すことができない。しかし、これらの前記工具ヘッドの突出部分により、周囲の人や品物が傷付けられやすく、そしてこれらの前記工具ヘッドは損傷しやすいという問題があった。
【先行技術文献】
【特許文献】
【０００５】
【特許文献１】なし
【考案の概要】
【考案が解決しようとする課題】
【０００６】
本考案の主な目的は、工具ヘッドの取出し及び収納を便利にする工具ヘッド用収納台を提供することにある。
【課題を解決するための手段】
【０００７】
本考案の工具ヘッド用収納台によると、ケースと、台座と、挿入空間と、穴と、を備え、ケースは、上蓋と、前蓋と、後蓋と、二つのサイド蓋と、を含み、上蓋、前蓋、後蓋及び二つのサイド蓋から、収容空間及び開口が構成され、開口は、ケースの下方に位置し、収容空間と連通し、台座は、収容空間に脱着可能に収容されており、挿入空間は、第１穴部と、第２穴部と、を含み、第１穴部は、上蓋を貫通し、収容空間と連通し、第２穴部は、台座を貫通し、穴と連通する本体と、穴に移動可能に挿通し、その一端が第２穴部に挿入し、その他端が穴から外部に突出する押圧具と、を含むことを特徴とする。
【０００８】
本考案の工具ヘッド用収納台によると、挿入空間の内径は穴の最小内径よりも大きく、押圧具はプッシャ部を含み、プッシャ部は、ロッドと、ヘッド部と、を含み、ロッドは、穴に移動可能に挿通し、ヘッド部は、ロッドの一端に設けられており、挿入空間に挿入し、ヘッド部の外径は、挿入空間の内径よりも小さく、穴の最小内径よりも大きいことを特徴とする。
【０００９】
本考案の工具ヘッド用収納台によると、押圧具は押えボタンを含み、押えボタンは、本体の一端に移動可能に設けられており、穴から外部に突出し、プッシャ部を押えて挿入空間へ移動可能であることを特徴とする。
【００１０】
本考案の工具ヘッド用収納台によると、押えボタンに定位穴が設けられており、プッシャ部のロッドは定位穴に挿入することを特徴とする。
【００１１】
本考案の工具ヘッド用収納台によると、押えボタンのプッシャ部から遠ざかった一端に円弧溝が形成されていることを特徴とする。
【００１２】
本考案の工具ヘッド用収納台によると、押圧具は弾性具を含み、弾性具は、押えボタンと本体の底部の間に設けられており、弾性具により、平常時に、押えボタンが付勢されて本体の底部から離れることを特徴とする。
【００１３】
本考案の工具ヘッド用収納台によると、穴は挿入空間から離れるほど縮径し、これにより、穴の壁が円錐状を呈し、プッシャ部のヘッド部の輪郭は穴の輪郭に対応することを特徴とする。
【００１４】
本考案の工具ヘッド用収納台によると、ケースは上蓋を含み、上蓋は透明であることを特徴とする。
【００１５】
本考案の工具ヘッド用収納台によると、本体に標識部が複数設けられており、これらの標識部は、挿入空間のうちの一つにそれぞれ対応することを特徴とする。
【００１６】
本考案の工具ヘッド用収納台によると、更に、定位具を含み、定位具は、複数の第１円弧段と、複数の第２円弧段と、複数の連接段と、を含み、各連接段は、第１円弧段のうちの一つと第２円弧段のうちの一つを連接し、本体は複数の挿入空間を含み、台座の上端に寄掛り部が複数設けられており、これらの寄掛り部は第２穴部のうちの一つにそれぞれ対応し、定位具は台座の上部に設けられており、これらの第１円弧段とこれらの第２円弧段は、寄掛り部のうちの一つにそれぞれ寄掛り、付勢されて第２穴部のうちの一つからそれぞれ突出することを特徴とする。
【考案の効果】
【００１７】
本考案の工具ヘッド用収納台によれば、工具ヘッドの取出し及び収納が便利となるという効果を有する。
【図面の簡単な説明】
【００１８】
【図１】本考案の実施例１を示す分解斜視図である。
【図２】本考案の実施例１の組合済み状態を示す斜視図である。
【図３Ａ】図２のＡ-Ａ線の断面図である。
【図３Ｂ】図２のＢ-Ｂ線の断面図である。
【図３Ｃ】工具ヘッドが本考案の実施例１から押出された状態を示す断面図である。
【図４】本考案の実施例２を示す分解斜視図である。
【図５】本考案の実施例３の組合済み状態を示す断面図である。
【考案を実施するための形態】
【００１９】
以下、本考案の実施の形態を図面に基づいて説明する。
【実施例１】
【００２０】
図１乃至図３Ｃを参照する。図１は本考案の実施例１を示す分解斜視図であり、図２は本考案の実施例１の組合済み状態を示す斜視図であり、図３Ａは図２のＡ-Ａ線の断面図であり、図３Ｂは図２のＢ-Ｂ線の断面図であり、図３Ｃは工具ヘッドが本考案の実施例１から押出された状態を示す断面図である。本実施例の工具ヘッド用収納台は、本体１０と、定位具２０と、複数の押圧具と、を含む。
【００２１】
本体１０は、ケース１１と、台座１２と、複数の挿入空間１３と、複数の穴１４と、を備える。ケース１１は、上蓋１１１と、前蓋１１２と、後蓋と、二つのサイド蓋１１４と、を含む。上蓋１１１、前蓋１１２、前記後蓋及び二つのサイド蓋１１４から、収容空間及び開口が構成される。前記開口は、ケース１１の下方に位置し、前記収容空間と連通する。本実施例では、上蓋１１１が透明である。もちろん、ケース１１の他の部分は透明でもよく、ケース１１全体が透明ではなくてもよい。台座１２は、前記開口から前記収容空間に進入し、且つ前記収容空間に脱着可能に収容されている。ケース１１と台座１２は、そのうちの一つに係合具が設けられており、その残りに係合部が設けられていることが好ましい。前記係合具は前記係合部と係合可能であり、これにより、ケース１１と台座１２を結合可能である。各挿入空間１３に工具ヘッド４０を挿入して収納可能である。本実施例では、工具ヘッドがドライバヘッドであるが、勿論、本考案はこれに限定されない。
【００２２】
各挿入空間１３は、第１穴部１３１と、第２穴部１３２と、を含む。各第１穴部１３１は、上蓋１１１を貫通し、前記収容空間と連通する。各第２穴部１３２は、台座１２を貫通し、第１穴部１３１のうちの一つに対応する。前蓋１１２に標識部１１２１が複数設けられている。これらの標識部１１２１は第１穴部１３１のうちの一つにそれぞれ対応する。各穴１４は、台座１２の底部に設けられており、第２穴部１３２のうちの一つと連通する。各第２穴部１３２の内径は、それに対応する穴１４の最小内径よりも大きく、各穴１４は、第２穴部１３２から離れるほど縮径し、その壁が円錐状を呈することが好ましい。
【００２３】
定位具２０は、複数の第１円弧段２１と、複数の第２円弧段２２と、複数の連接段２３と、を含む。各連接段２３は、第１円弧段２１のうちの一つと第２円弧段２２のうちの一つを連接する。このように、定位具２０は波状を呈する。定位具２０は金属ワイヤを折り曲げて成形されることが好ましい。このように、定位具２０は弾性を有する。台座１２の上端に寄掛り部１２１が複数設けられている。各寄掛り部１２１は第２穴部１３２のうちの一つにそれぞれ対応する。各寄掛り部１２１は溝状を呈する。定位具２０は台座１２の上部に設けられている。これらの第１円弧段２１とこれらの第２円弧段２２は、寄掛り部１２１のうちの一つにそれぞれ寄掛り、付勢されて第２穴部１３２のうちの一つからそれぞれ突出する。
【００２４】
これらの前記押圧具は、穴１４のうちの一つを移動可能に挿通し、その一端が挿入空間１３のうちの一つに挿入し、その他端が各穴１４から外部に突出する。本実施例では、各前記押圧具は、プッシャ部３１と、押えボタン３２と、を含む。各プッシャ部３１は、ロッド３１１と、ヘッド部３１２と、を含む。各ロッド３１１は、穴１４のうちの一つを移動可能に挿通する。各ヘッド部３１２は、各ロッド３１１の一端に設けられており、第２穴部１３２のうちの一つを挿入する。各ヘッド部３１２の外径は、各第２穴部１３２の内径よりも小さく、各穴１４の最小内径よりも大きい。各プッシャ部３１のヘッド部３１２の輪郭は各穴１４の輪郭に対応することが好ましい。各押えボタン３２は、本体１０の一端に移動可能に設けられており、各穴１４から突出する。
【００２５】
本実施例の押えボタン３２は、底部３２１と、二つの側部３２２と、を含む。二つの側部３２２は、底部３２１の両側に設けられており、互いに対応する。このように、押えボタン３２はＵ字形を呈する。押えボタン３２の二つの側部３２２は、台座１２の両側に摺動可能にそれぞれ配されている。底部３２１は穴１４の下方に位置する。押えボタン３２全体は、台座１２と共にケース１０の前記収容空間に収容され、ケース１０の前記開口から外部に突出しない。底部３２１の上端に定位穴３２１１が設けられており、ロッド３１１が定位穴３２１１を挿入し、底部３２１の底端に窪み３２１２が形成されており、各窪み３２１２の円弧度がユーザの指の輪郭に対応することが好ましい。このように、ユーザは押えボタン３２を快適に押圧可能である。前記押圧具は、更に、弾性具３３を含む。弾性具３３は、底部３２１の上端と台座１２の底部の間に設けられている。弾性具３３の弾性により、平常時に、押えボタン３２が付勢されて本体１２の底部から離れる。
【００２６】
図３Ａ及び図３Ｂを参照する。工具ヘッド４０が本発明の実施例１の工具ヘッド用収納台に収納されるときには、プッシャ部３１が第１位置に位置する。挿入空間１３のうちの一つに工具ヘッド４０を挿入するときには、工具ヘッド４０の底部がヘッド部３１２に押付けて、定位具２０の一部が工具ヘッド４０の凹み４１と嵌合し、これにより、工具ヘッド４０が挿入空間１３に規制される。図３Ａ及び図３Ｃを参照する。ユーザが工具ヘッド４０を取出したいときには、押えボタン３２の底部３２１を押圧することにより、押えボタン３２がプッシャ部３１のロッド３１１を押えて、穴１４に沿って第２穴部１３２へ移動して、プッシャ部３１が第２位置に移動する。プッシャ部３１のヘッド部３１２により、工具ヘッド４０が第１穴部１３１の外部へ押出され、且つ定位具２０が工具ヘッド４０の凹み４１から離脱する。このように、工具ヘッド４０は定位具２０に規制されず、ユーザは工具ヘッド４０を容易に取出し可能である。このとき、弾性具３３が押えボタン３２の底部３２１に圧縮され、ユーザによる押圧力が消えたと、押えボタン３２がプッシャ部３１を駆動して前記第１位置に戻す。
【実施例２】
【００２７】
図４を参照する。図４は本考案の実施例２を示す分解斜視図である。本実施例の実施例１に相違する点は、押圧具が弾性具を有しないため、押えボタン３２によりプッシャ部３１が前記第２位置に押えられた後、工具ヘッド４０がプッシャ部３１に押付けないと、プッシャ部３１が前記第１位置に戻すことができないことにある。
【実施例３】
【００２８】
図５を参照する。図５は本考案の実施例３を示す分解斜視図である。本実施例の実施例１に相違する点は、押圧具が弾性具及び押えボタンを有しないため、ユーザがプッシャ部３１を前記第２位置に直接に押えて工具ヘッド４０を移動し、なお、前記挿入空間に工具ヘッド４０を挿入するときには、工具ヘッド４０がプッシャ部３１に押付けて、プッシャ部３１が前記第１位置に戻すことにある。
【００２９】
このように、本考案の工具ヘッド用収納台は、定位具２０により、これらの挿入空間１３にこれらの工具ヘッド４０を固定可能であり、そしてこれらの押圧具により、これらの挿入空間１３からこれらの工具ヘッド４０を押出し可能であり、これにより、定位具２０がこれらの工具ヘッド４０を規制せず、ユーザはこれらの工具ヘッド４０を容易に取出し可能である。
【００３０】
また、これらの工具ヘッド４０は、これらの挿入空間１３に挿入されているときに、第１穴部１３１から外部に突出しないため、ユーザや他の品物を傷付けず、そしてこれらの工具ヘッド４０も損傷しない。
【００３１】
一方、ケース１１の上蓋１１１が透明であるため、これらの挿入空間１３に、これらの工具ヘッド４０を完全に挿し込んだときには、ユーザは外部からこれらの工具ヘッド４０の態様をはっきり見ることが可能であり、そしてケース１１の前蓋１１２に設けられたこれらの標識部１１２１により、ユーザはこれらの工具ヘッド４０の態様を知ることも可能である。
【産業上の利用可能性】
【００３２】
本考案は、収納台に適用することができる。
【符号の説明】
【００３３】
１０：本体
１１：ケース
１２：台座
１３：挿入空間
１４：穴
２０：定位具
２１：第１円弧段
２２：第２円弧段
２３：連接段
３１：プッシャ部
３２：押えボタン
３３：弾性具
４０：工具ヘッド
４１：凹み
１１１：上蓋
１１２：前蓋
１１４：サイド蓋
１２１：寄掛り部
１３１：第１穴部
１３２：第２穴部
３１１：ロッド
３１２：ヘッド部
３２１：底部
３２２：側部
１１２１：標識部
３２１１：定位穴
３２１２：窪み
【図１】
0003183787.tif 000003
【図２】
0003183787.tif 000004
【図３Ａ】
0003183787.tif 000005
【図３Ｂ】
0003183787.tif 000006
【図３Ｃ】
0003183787.tif 000007
【図４】
0003183787.tif 000008
【図５】
0003183787.tif 000009